(57)【特許請求の範囲】
【請求項１】
溶接方向に延びる裏当部材と、当該裏当部材の側部にて当該裏当部材の長手方向に複数配列され前記裏当部材上に位置した被溶接鋼板を磁気的に吸着して拘束する複数の磁気吸着部材と、前記被溶接鋼板の溶接線に沿って移動し溶接ワイヤをそれぞれ送出する複数の溶接トーチと、当該複数の溶接トーチがそれぞれ設けられた溶接機及び前記複数の磁気吸着部材を支持する架台フレームと、前記複数の溶接ワイヤに電流をそれぞれ給電して前記複数の溶接ワイヤと前記被溶接鋼板との間にそれぞれアークを生成するための複数の溶接電源と、を有する片面サブマージアーク溶接装置であって、
前記溶接機を前記溶接線に沿って移動させ、前記溶接線の溶接始端側から溶接終端側に向かって溶接する際に、前記複数の溶接電源は、前記溶接線の溶接始端側に設置されると共に、前記各磁気吸着部材と当該複数の溶接電源の各電源アース端子とを導通させたことにより、
アース電流が、前記複数の磁気吸着部材と、
前記溶接線の溶接始端側から溶接終端側まで配置され前記複数の磁気吸着部材に導通した前記架台フレームの溶接始端側と、
前記架台フレームの溶接始端側と前記各電源アース端子とに接続されたアースケーブルと、
を順に経由して、前記架台フレームの溶接始端側を介して集電され、当該架台フレームの溶接始端側から前記アースケーブルを介して前記複数の溶接電源に戻るように、アース電流の電流回路が構成されていることを特徴とする片面サブマージアーク溶接装置。
【請求項２】
前記複数の磁気吸着部材は、前記裏当部材の幅方向の両側に、当該裏当部材の長手方向に複数配列されると共に、全ての前記複数の磁気吸着部材が前記各電源アース端子に導通されていることを特徴とする請求項１に記載の片面サブマージアーク溶接装置。
【請求項３】
溶接方向に延びる裏当部材と、前記裏当部材の側部にて当該裏当部材の長手方向に複数配列され当該裏当部材上に位置した被溶接鋼板を磁気的に吸着して拘束する複数の磁気吸着部材と、前記被溶接鋼板の溶接線に沿って移動し溶接ワイヤをそれぞれ送出する複数の溶接トーチと、当該複数の溶接トーチがそれぞれ設けられた溶接機及び前記複数の磁気吸着部材を支持する架台フレームと、前記複数の溶接ワイヤに電流をそれぞれ給電して前記複数の溶接ワイヤと前記被溶接鋼板との間にそれぞれアークを生成するための複数の溶接電源と、を有する片面サブマージアーク溶接装置であって、
前記溶接機を前記溶接線に沿って移動させ、前記溶接線の溶接始端側から溶接終端側に向かって溶接する際に、前記複数の溶接電源は、前記溶接線の溶接終端側に設置されると共に、前記各磁気吸着部材と当該複数の溶接電源の各電源アース端子とを導通させたことにより、
アース電流が、前記複数の磁気吸着部材と、
前記溶接線の溶接始端側から溶接終端側まで配置された前記架台フレームの溶接始端側に設置され前記複数の磁気吸着部材に導通した電源アース接続端子と、
前記溶接線の溶接始端側から溶接終端側に配置されると共に、前記電源アース接続端子と前記各電源アース端子とに接続されたアースケーブルと、
を順に経由して、前記架台フレームの溶接始端側を介して集電され、当該架台フレームの溶接始端側から前記アースケーブルを介して前記複数の溶接電源に戻るように、アース電流の電流回路が構成されていることを特徴とする片面サブマージアーク溶接装置。
【発明の詳細な説明】
【技術分野】
【０００１】
本発明は、裏当装置上に、複数の被溶接鋼板の溶接線に沿って溶接機を走行させることにより、上面から溶接を行う片面サブマージアーク溶接装置に関する。
【背景技術】
【０００２】
片面サブマージアーク溶接装置（以下、「片面アーク溶接装置」という）は、一対の被溶接鋼板の側端同士を突き合わせた溶接線の下部に裏当装置を配置して、溶融金属の垂れ落ちを防止しながら溶接線に沿って走行する溶接機によって、溶接線の被溶接鋼板の片面をアーク溶接する装置である。
【０００３】
この片面アーク溶接装置においては、例えば、フラックス裏当装置及び／又は銅板裏当装置が溶接方向へ延設されて、この裏当装置上に複数の被溶接鋼板が仮付けされたパネルが搬送されて来て、その溶接線が裏当装置に一致するように配置される。そして、片面アーク溶接装置は、溶接機の溶接トーチから溶接線の近傍に向けて溶接ワイヤを送出し、溶接ワイヤと被溶接鋼板との間に電圧を印加することによってアークを形成しながら溶接機を、溶接機ビーム上を走行させることにより、溶接開先部を溶接する。
【０００４】
アークを形成するためには、溶接ワイヤと被溶接鋼板との間に溶接電流を流して、被溶接鋼板から溶接電流のアース電流を集電する必要がある。従来、そのアース電流の集電方法としては、次のような３つの集電方法が主に行われている。
【０００５】
その第１の集電方法は、被溶接鋼板に直接アースケーブルを接続する方法である。この集電方法の場合は、パネルが搬送されて来る都度、その被溶接鋼板にアースケーブルを万力等により接続している。
第２の集電方法は、被溶接鋼板を支持する支持装置に、溶接電源のアースケーブルを接続する方法である。
第３の集電方法は、被溶接鋼板の支持装置にアース集電装置を複数設置する方法である。そのアース集電装置は、被溶接鋼板をローラで搬送するのに対処させるために、集電接触子を、油圧シリンダ等で被溶接鋼板に向けて進退移動させることによって、被溶接鋼板に接触させる装置である。
その他、片面溶接装置に使用されるものではないが、被溶接鋼板に電源アース端子を接続してアースする方法が知られている（例えば、特許文献１参照）。
【０００６】
しかしながら、前記第１〜３のアース電流の集電方法には、次のような問題点がある。
先ず、第１の集電方法では、アース電流の集電位置を溶接始端側にするか、溶接終端側にするか、又は、中間位置にするかによって、アークの状態が変化する。このため、アース電流の集電位置により溶接アーク状態が不安定になるという問題点がある。この現象は、一般的に「磁気吹き」といわれ、溶接電流が直流である場合に、特に、著しく現れる。このため、良好な溶接ビードを得ることができないという問題点がある。
【０００７】
前記磁気吹き現象は、電流経路が被溶接鋼板上で複数になった場合に、各電流に発生する磁界が反発したり、吸い寄せられたりして、アークが真っ直ぐに被溶接鋼板に向かないで偏向することをいう。溶接前の被溶接鋼板同士は、溶接開先部で溶接線方向に点在する仮付け部により連結されているにすぎない。このため、アース電流がいずれの被溶接鋼板をどの方向に通流して行くのか予想がつかない。この被溶接鋼板を流れる電流の方向と向きに対して、アーク中を流れる電流が直交しているので、被溶接鋼板を流れる電流により、アークがアーク方向と垂直の方向に電磁力を受ける。このため、被溶接鋼板を流れる電流の経路が安定しない場合には、アークが所望の方向を向かず、不安定になるという問題点がある。特に、アークが後方向を向いた場合には、溶接ビードが溶接線の裏面側に形成されないという問題点がある。
【０００８】
又、集電部と被溶接鋼板との接触が不安定である場合には、アーク状態も不安定になり、接触が不安定な被溶接鋼板と接触部との間でスパークが生じ、被溶接鋼板及び集電部にアーク痕が生じるという問題点がある。
【０００９】
特に、第１の集電方法は、被溶接鋼板に直接アースケーブルを接続した場合、溶接電流が大きいときに、アースケーブルが重くなると共に、パネルを交換する都度、アースケーブルを万力で被溶接鋼板に取り付けたり、取り外したりする作業が必要となる。このため、溶接作業を行う前の準備作業に時間がかかると共に、作業工数が、増えて作業が煩雑になるという問題点がある。
又、パネルを交換するときに、アースケーブルの取り外しを忘れた場合には、アースケーブルが切断してしまうという不慮の事故が発生することもある。更に、パネルの被溶接鋼板の大きさが変わる場合には、アースケーブルの取付位置も変わるため、重いアースケーブルをその都度新しい取付位置まで運ぶ必要があり、作業性が悪いという問題点がある。
【００１０】
又、第２の集電方法では、次のような問題点がある。
鋼板支持装置は、複数のローラ、又は、支持台等の支持部材で被溶接鋼板を受けて、アース電流が、被溶接鋼板から支持部材を通って溶接電源に戻るようになっている。しかし、被溶接鋼板は、その表面に錆や汚れや塵埃等があることがあるため、全ての支持点が、常に、鋼板支持装置に密着又は接触しているわけではない。又、被溶接鋼板の曲がり及び支持部材の支持高さも不均一になっているため、接触点が不安定である。このため、アース電流は、いつも同じ状態に流れるとは限らず、アークが不安定であるという問題点がある。
【００１１】
更に、溶接中は、溶接熱により被溶接鋼板に歪みが発生し、接触していた箇所が溶接中に離れてスパークが発生することがある。
又、接触点が移動することによって、アース電流の良好な集電状態が崩れ、磁気吹きが発生することがある。特に、被溶接鋼板が薄くて、単位面積あたりの質量が軽い場合には、被溶接鋼板が動き易いので、前記した全ての問題点が起きる可能性がある。
更に、ローラで被溶接鋼板を支持する場合は、ローラ内の軸受ベアリングにアース電流が流れるため、ベアリングを損傷させるという問題点がある。ベアリングにかかる荷重が大きい場合には、電流の通過抵抗が小さいが、荷重が小さい場合は、通過抵抗が大きくなり、損傷を促進させるという問題点がある。
【００１２】
更に、第３の集電方法においては、次のような問題点がある。
アース集電装置は、アースケーブルを溶接線の溶接終端（エンド）側に設けるいわゆる前アースが、磁気吹きの抑制に好ましいといわれていた。このアース集電装置は、被溶接鋼板における溶接が進行する先の溶接終端部分にアース集電接触子を接触させる方法である。
【００１３】
しかしながら、このアース集電装置の集電接触子を溶接線の溶接終端位置に接触させたとしても、被溶接鋼板の大きさ及び置き方によっては、正確に溶接線の溶接終端位置になるとは限らない。従って、集電接触子が接触する位置が被溶接鋼板の溶接線の溶接終端位置よりも手前になった場合、その位置までは溶接が良好にできたとしても、その集電接触子の接触位置を通過した後に、溶接アークに磁気吹きが発生することがある。このため、アース集電装置は、全体に亘って、磁気吹きを確実に防止することはできないという問題点がある。
【００１４】
又、アース集電装置の機構は、前記したように、集電接触子を油圧シリンダ等で被溶接鋼板に押し付ける装置である。このため、被溶接鋼板が薄くて軽い場合には、油圧シリンダによる押付力で被溶接鋼板を持ち上げてしまい、被溶接鋼板に対する集電接触子の接触圧力が十分に伝わらず、接触不良となるという問題点がある。
【００１５】
そのような前記第１〜３のアース電流の集電方法の問題点を解消すべく開発されたものとしては、例えば、特許文献２に開示された片面溶接装置がある。
その片面溶接装置は、溶接方向に延びる裏当部材と、この裏当部材の側部にて裏当部材の長手方向に複数配列され、裏当部材上に位置した被溶接鋼板を磁力で吸着して拘束する複数の磁気吸着部材と、被溶接鋼板の溶接線に沿って移動して溶接ワイヤを送出する溶接トーチと、溶接ワイヤに給電して溶接ワイヤと被溶接鋼板との間にアークを生成させる溶接電源と、を備えて、各磁気吸着部材と溶接電源の電源アース端子とを接続することにより、アース電流が、複数の磁気吸着部材を介して溶接電源に戻るようにさせている。
【先行技術文献】
【特許文献】
【００１６】
【特許文献１】実開昭５０−５３４３０号公報
【特許文献２】特許第４４０１３２４号公報
【発明の概要】
【発明が解決しようとする課題】
【００１７】
前記特許文献２に記載の片面溶接装置は、アース集電装置が、溶接線の溶接終端（エンド）に設けられるいわゆる前アースが用いられ、複数の磁気吸着部材に接続された電源アース端子を介している場合にあっては、通常、良好な片面溶接結果が得られとされていた。ところが、時として片面溶接の裏面ビード形状が乱れることがあった。その場合、その都度、現場補修を余儀なくされ、裏面ビード形状が乱れる原因の解明と対策が急務とされていた。
この場合、裏面ビード形状が乱れたときには、溶接施工上の異常が生じたものと判断され、その都度の現場対応として溶接条件を調節すること等により対処していた。その溶接条件の調節作業は、片面アーク溶接装置を停止して作業が行われる。このため、裏面ビード形状の乱れの原因の究明に時間がかかった場合には、片面アーク溶接装置が何ヶ月も立ち上がらない状態になることもあり、検査コストや製作コストがアップすると共に、製品の納期等にも過大な影響を与えることもあった。
【００１８】
しかしながら、複数の溶接ワイヤに関する個々の溶接条件を調節された後においても、相変わらず、時として裏面ビード形状が乱れる溶接欠陥が発生することから、その原因が施工上の異常ではなく、装置面からの原因究明と根絶が急務となった。なお、その溶接欠陥は、往々にして溶接線裏面の溶接箇所の形状欠陥となる。その溶接欠陥を補修は、現場の狭隘な裏面サイドからの上向き溶接によって補修することが要求されることもあり、その溶接欠陥の発生頻度が少なくても、被溶接鋼板の裏面側の補修作業は大変な作業であり、大きな問題点となる。
このため、前記した諸問題を究明して改善し、溶接欠陥が発生しない片面アーク溶接装置の開発が要望されていた。
【００１９】
本発明は、かかる問題点に鑑みてなされたものであって、前記溶接欠陥が発生しないように溶接することができる片面サブマージアーク溶接装置を提供することを課題とする。
【課題を解決するための手段】
【００２０】
前記した課題を解決するために、本発明の請求項１に記載の片面サブマージアーク溶接装置は、溶接方向に延びる裏当部材と、当該裏当部材の側部にて当該裏当部材の長手方向に複数配列され前記裏当部材上に位置した被溶接鋼板を磁気的に吸着して拘束する複数の磁気吸着部材と、前記被溶接鋼板の溶接線に沿って移動し溶接ワイヤをそれぞれ送出する複数の溶接トーチと、当該複数の溶接トーチがそれぞれ設けられた溶接機及び前記複数の磁気吸着部材を支持する架台フレームと、前記複数の溶接ワイヤに電流をそれぞれ給電して前記複数の溶接ワイヤと前記被溶接鋼板との間にそれぞれアークを生成するための複数の溶接電源と、を有する片面サブマージアーク溶接装置であって、前記溶接機を前記溶接線に沿って移動させ、前記溶接線の溶接始端側から溶接終端側に向かって溶接する際に、前記複数の溶接電源は、前記溶接線の溶接始端側に設置されると共に、前記各磁気吸着部材と当該複数の溶接電源の各電源アース端子とを導通させたことにより、アース電流が、前記複数の磁気吸着部材と、前記溶接線の溶接始端側から溶接終端側まで配置され前記複数の磁気吸着部材に導通した前記架台フレームの溶接始端側と、前記架台フレームの溶接始端側と前記各電源アース端子とに接続されたアースケーブルと、を順に経由して、前記架台フレームの溶接始端側を介して集電され、当該架台フレームの溶接始端側から前記アースケーブルを介して前記複数の溶接電源に戻るように、アース電流の電流回路が構成されていることを特徴とする。
【００２１】
かかる構成によれば、片面サブマージアーク溶接装置は、溶接する際に、電流が、溶接電源から溶接ワイヤ、被溶接鋼板、複数の磁気吸着部材を介して溶接電源の電源アース端子に流れて、溶接ワイヤと被溶接鋼板との間にアークを生成する。この場合、磁気吸着部材と電源アース端子とは、接続されているため、溶接欠陥が発生することがない。
また、かかる構成によれば、片面アーク溶接装置は、架台フレームをアース部材としたことによって、特別なアース部材を設けることなく、アースすることができる。
また、アース電流は、複数の磁気吸着部材と、架台フレームの溶接始端側と、アースケーブルと、を順に経由して、架台フレームの溶接始端側を介して集電され、架台フレームの溶接始端側からアースケーブルを介して複数の溶接電源に戻る。
【００２２】
請求項２に記載の片面サブマージアーク溶接装置は、請求項１に記載の片面サブマージアーク溶接装置であって、前記複数の磁気吸着部材は、前記裏当部材の幅方向の両側に、当該裏当部材の長手方向に複数配列されると共に、全ての前記複数の磁気吸着部材が前記各電源アース端子に導通されていることを特徴とする。
【００２３】
かかる構成によれば、片面サブマージアーク溶接装置は、磁気吸着部材が、裏当部材の幅方向の両側に複数配列されて、全ての磁気吸着部材が電源アース端子に接続されているので、溶接のアース電流が流れる電流経路の接続箇所の電気的接続の信頼性を向上させることができる。
【００２６】
請求項３に記載の片面サブマージアーク溶接装置は、溶接方向に延びる裏当部材と、前記裏当部材の側部にて当該裏当部材の長手方向に複数配列され当該裏当部材上に位置した被溶接鋼板を磁気的に吸着して拘束する複数の磁気吸着部材と、前記被溶接鋼板の溶接線に沿って移動し溶接ワイヤをそれぞれ送出する複数の溶接トーチと、当該複数の溶接トーチがそれぞれ設けられた溶接機及び前記複数の磁気吸着部材を支持する架台フレームと、前記複数の溶接ワイヤに電流をそれぞれ給電して前記複数の溶接ワイヤと前記被溶接鋼板との間にそれぞれアークを生成するための複数の溶接電源と、を有する片面サブマージアーク溶接装置であって、前記溶接機を前記溶接線に沿って移動させ、前記溶接線の溶接始端側から溶接終端側に向かって溶接する際に、前記複数の溶接電源は、前記溶接線の溶接終端側に設置されると共に、前記各磁気吸着部材と当該複数の溶接電源の各電源アース端子とを導通させたことにより、アース電流が、前記複数の磁気吸着部材と、前記溶接線の溶接始端側から溶接終端側まで配置された前記架台フレームの溶接始端側に設置され前記複数の磁気吸着部材に導通した電源アース接続端子と、前記溶接線の溶接始端側から溶接終端側に配置されると共に、前記電源アース接続端子と前記各電源アース端子とに接続されたアースケーブルと、を順に経由して、前記架台フレームの溶接始端側を介して集電され、当該架台フレームの溶接始端側から前記アースケーブルを介して前記複数の溶接電源に戻るように、アース電流の電流回路が構成されていることを特徴とする。
【００２７】
かかる構成によれば、片面サブマージアーク溶接装置は、溶接線の溶接始端側から溶接終端側にアースケーブルを配置したことにより、被溶接鋼板を溶接始端側から溶接終端側に亘って溶接するときに、アース電流が、常に、複数の磁気吸着部材と、架台フレームの溶接始端側と、アースケーブルと、を順に経由して、架台フレームの溶接始端側を介して集電され、架台フレームの溶接始端側からアースケーブルを介して複数の溶接電源に戻るようになる。
【発明の効果】
【００２８】
本発明に係る片面サブマージアーク溶接装置は、次のような優れた効果を奏する。
請求項１の発明は、裏当部材の側部に配列された複数の磁気吸着部材を、被溶接鋼板の固定に使用することができると共に、被溶接鋼板からアース電流を導通し溶接電源に戻すための電流経路としても兼用することができる。この磁気吸着部材は、裏当部材の長手方向に複数配列し、複数の溶接電源を溶接始端側に設置し、前記各磁気吸着部材と複数の溶接電源の電源アース端子とを導通することにより、溶接電流が常に進行方向に対して後アースとなり、安定したアークが得られる。その結果、アーク変動による溶接欠陥が発生しない高品質の溶接を行うことができる。
また、請求項１の発明は、架台フレームをアース部材としたことによって、特別なアース部材を設けることなく、アースすることができるため、アース電流を流すための配線を簡素化することができる。
【００２９】
請求項２の発明は、磁気吸着部材を通してアーク電流を集電する際に、複数の集電部材に起因する接触電気抵抗のばらつきの影響を軽減し、かつ、複数の磁気吸着部材のアース電流の順次分配の諸原因に基づく乱れの発生を抑制することができる。その結果、良好な片面アーク溶接を得ることができる。
【００３１】
請求項３の発明は、溶接線の溶接終端側に溶接電源を設置した場合であっても、溶接始端側に集電したアース端子から溶接電源アース端子にアースケーブルを配置したことにより、被溶接鋼板を溶接始端側から溶接終端側に亘って溶接するときに、溶接電流が常に進行方向に対して後アースとなり、安定したアークが得られる。その結果、溶接ビードの形状も安定化され、溶接欠陥の発生を防止することができる。
【図面の簡単な説明】
【００３２】
【図１】本発明の実施形態に係る片面サブマージアーク溶接装置を示す裏当部材に垂直方向の要部拡大縦断面図である。
【図２】本発明の実施形態に係る片面サブマージアーク溶接装置を示す要部斜視図である。
【図３】本発明の実施形態に係る片面サブマージアーク溶接装置の裏当部材及び磁気吸着部材の配置を示す要部斜視図である。
【図４】本発明の実施形態に係る片面サブマージアーク溶接装置の磁気吸着部材を示す図であり、（ａ）は平面図、（ｂ）は正面図である。
【図５】本発明の実施形態に係る片面サブマージアーク溶接装置の裏当部材、磁気吸着部材及び溶接電源の配置を示す要部概略図である。
【図６】本発明の実施形態に係る片面サブマージアーク溶接装置の変形例を示す図であり、裏当部材、磁気吸着部材及び溶接電源の配置を示す要部概略図である。
【発明を実施するための形態】
【００３３】
以下、本発明の実施形態について図１〜図５を参照して説明する。
なお、実施形態の説明において、長手方向は被溶接鋼板１，２の溶接線３に平行な方向、幅方向は溶接線３に直交する方向とする。
【００３４】
≪片面サブマージアーク溶接装置の構成≫
図１に示すように、片面サブマージアーク溶接装置（以下「片面アーク溶接装置」という）１００は、フラックスＦを用いて被溶接鋼板１，２同士を溶接線３に沿って溶接機４０を移動させながら片面溶接するサブマージアーク溶接装置である。図２に示すように、片面アーク溶接装置１００は、それぞれ後記する溶接機４０と、溶接電源６（６Ａ，６Ｂ，６Ｃ）と、架台フレーム１０１と、被溶接材搬送装置２３と、磁気吸着部材２７，２８，２９と、裏当装置２０と、昇降装置（図示省略）と、フラックス回収搬送装置１６（図１参照）と、回収散布装置１９（図１参照）と、を備えている。
【００３５】
≪被溶接鋼板の構成≫
図１に示すように、被溶接鋼板１，２は、船舶等で用いられる大きな面積を有する鋼板等であり、例えば、１辺が１０〜３０ｍの長さの平板材からなる。この被溶接鋼板１，２は、溶接機４０により大きな被溶接鋼板１，２の溶接線３を溶接して繋ぎ合わせて形成される。被溶接鋼板１，２の側端部は、相互に突き合わされて、突き合わせ端部に溶接線３が形成されている。溶接開先部Ｍは、仮付け溶接され、溶接線３に沿って複数の仮付け部が点在している。パネルは、溶接線３がフラックス裏当部材２１の上に位置に搬送されて配置されている。そして、この溶接線３の上には、溶接機４０が配置され、溶接機４０が溶接機ビーム１０２上を溶接線３に沿って走行するようになっている。
【００３６】
≪溶接機の構成≫
図１に示すように、溶接機４０は、裏当装置２０の上方に配置され、溶接線３の表側（上側）から被溶接鋼板１，２を溶接するアーク溶接機である。図２に示すように、溶接機４０は、裏当装置２０のフラックス裏当部材２１（図１参照）、又は、銅板裏当部材２２（図１参照）の長手方向に沿って延設される溶接機ビーム１０２を走行させる溶接機走行台車４１（図２参照）と、溶接機走行台車４１に移動可能に取り付けられた調整治具（図示省略）と、調整治具に取り付けられた溶接トーチ４（４Ａ，４Ｂ，４Ｃ）と、を備えている。
【００３７】
図２に示す溶接機走行台車４１は、不図示の調整治具に設けられたレール（図示省略）が幅方向に移動することによって、溶接トーチ４（４Ａ〜４Ｃ）を幅方向へ移動させる台車である。
そして、溶接機４０には、例えば、３つの溶接トーチ４（４Ａ〜４Ｃ）が下方に向けて延在し、各溶接トーチ４（４Ａ〜４Ｃ）の先端が溶接線３の直上に位置するように配置される。複数の溶接トーチ４（４Ａ〜４Ｃ）からは、各溶接ワイヤ５が溶接開先部Ｍに向けて送出される。各溶接ワイヤ５と被溶接鋼板１，２との間には、それぞれの溶接電源６（６Ａ〜６Ｃ）から電圧が印加されることにより、アークが生成されてアーク溶接が行われる。
【００３８】
≪溶接電源の構成≫
図５に示すように、各溶接電源６（６Ａ〜６Ｃ）は、各溶接トーチ４（４Ａ〜４Ｃ）の溶接ワイヤ５にそれぞれ大電流を給電して溶接ワイヤ５と被溶接鋼板１，２との間にアークを生成させるための電源であり、例えば、３つからなる。各溶接電源６（６Ａ〜６Ｃ）は、出力端子６ａと、電源アース端子６ｂと、を備えている。各溶接電源６（６Ａ〜６Ｃ）は、溶接線３の溶接始端側に設置されると共に、各磁気吸着部材２７，２８，２９と各溶接電源６（６Ａ〜６Ｃ）は、電源アース端子６ｂとに導通している。各溶接電源６（６Ａ〜６Ｃ）から溶接トーチ４４Ａ〜４Ｃ）、被溶接鋼板１，２を介してアースされるアース電流は、磁気吸着部材２７〜２９と、溶接線３の溶接始端側から溶接終端側まで配置された架台フレーム１０１（アース部材）の溶接始端側とを介して全溶接電流が集電されて各溶接電源６（６Ａ〜６Ｃ）に配分されて戻るようにアース電流の電流回路が構成されている。
【００３９】
＜電源ケーブル及びアースケーブルの構成＞
複数の溶接ワイヤ５毎に対応して設置した複数の溶接電源６（６Ａ〜６Ｃ）から各溶接ワイヤ５への電源ケーブル８，８，８は、個々の溶接電源６（６Ａ〜６Ｃ）毎に、その一端が、出力端子６ａに接続され、他端が、溶接機４０の溶接ワイヤ５に接続されている。
アースケーブル７は、大電流が供給可能な３本の電導線からなり、一端側が、溶接線３の溶接始端側に設置された電源アース接続端子１０１ａに接続され、他端側が、３つに分岐されて各溶接電源６（６Ａ〜６Ｃ）の電源アース端子６ｂにそれぞれ接続されている。
【００４０】
≪架台フレームの構成≫
架台フレーム１０１は、片面アーク溶接装置１００の略全体の骨組みを形成する骨格フレームであり、溶接機ビーム１０２と、ビーム走行ガイド１０３と、土台フレーム１４０と、を備えて幅方向に移動可能に構成されている。架台フレーム１０１は、導電性の金属製フレームからなり、アース電流の電流経路の一部を形成している。架台フレーム１０１の溶接始端側には、アースケーブル７を接続するための電源アース接続端子１０１ａが設置されている。
【００４１】
≪土台フレームの構成≫
図２に示すように、土台フレーム１４０は、上方が開放された状態に鋼製の角材を枠組みして、断面視して凹状を呈するように形成されたフレームであり、その内側に支持した裏当装置２０の長手方向に沿って延設されている。土台フレーム１４０は、長手方向に沿って並設された２本の主梁１４０ａと、主梁１４０ａ，１４０ａの間に直角に連結された連結梁１４０ｂと、連結梁１４０ｂに垂直に立設された連結梁１４０ｃと、主梁１４０ａ，１４０ａの上方で、それぞれ平行に設置された補助梁１４０ｄと、補助梁１４０ｄから裏当装置２０の反対側に向かって張出した片持梁１４０ｅと、を備えている。又、土台フレーム１４０は、連結梁１４０ｂの下方に台車部１０８が設置され、裏当装置２０の長手方向に所定の間隔をあけて並設された複数のレール１０７の上を台車部１０８が移動することによって、裏当装置２０の幅方向に移動する。
【００４２】
≪被溶接材搬送装置の構成≫
被溶接材搬送装置２３は、土台フレーム１４０の補助梁１４０ｄの上部に配置され、裏当装置２０の上方で被溶接鋼板１，２を水平移動させる装置である。被溶接材搬送装置２３は、パネル移動ローラ２４，２４と、このパネル移動ローラ２４，２４を回転駆動させるモータ２６，２６等を備えて構成されている。又、被溶接材搬送装置２３による被溶接鋼板１，２の搬送を補助するために、土台フレーム１４０の上部（片持梁１４０ｅ）には、補助ローラ装置３０（図３参照）が配置されている。
【００４３】
パネル移動ローラ２４，２４は、例えば、パネルを裏当装置２０の長手方向へ移動させるための装置であり、それぞれモータ２６，２６によって回転駆動される。なお、パネル移動ローラ２４，２４及びローラ２５，２５（図３参照）の向きは、パネルを移動させる方向に応じてその向きを変えることが可能になっている。なお、図２に示すパネル移動ローラ２４，２４及びローラ２５，２５は、パネルを長手方向に移動させる場合を示している。
【００４４】
≪裏当装置の構成≫
図１に示すように、裏当装置２０は、前記被溶接鋼板１，２同士を突き合わせた溶接線３の裏面にフラックスＦを押し当てる装置であり、裏当装置走行台車１７に載設された支持構造体の上に溶接方向に延設されている。裏当装置２０は、フラックス裏当部材２１と銅板裏当部材２２とが並行に設けられた二列の裏当部材と、この二つの裏当部材をそれぞれ上昇及び下降させる昇降装置としてのエアホース１５と、を備えている。フラックス裏当部材２１と銅板裏当部材２２とは、溶接方法により、いずれかが選択的に使用される。
なお、図１は、フラックス裏当部材２１を使用して溶接するときの状態を示す要部縦断面図である。これらの裏当装置２０の上には、被溶接鋼板１，２を仮付けしたパネルが搬送されて来て配置される。
【００４５】
図１に示すように、フラックス裏当部材２１及び銅板裏当部材２２は、被溶接鋼板１，２を突き合わせた溶接線３の裏面にフラックスＦを押し当てる部分である。フラックス裏当部材２１は、トラフフレームに支持された断面Ｕ字状のトラフ２１ａ内に収納したフラックスＦを溶接線３の裏面に押し当てるトラフタイプのものである。銅板裏当部材２２は、裏当銅板２２ａの上に散布されたフラックスＦを溶接線３の裏面に押し当てるいわゆる銅板タイプのものである。
そして、これらのフラックス裏当部材２１と銅板裏当部材２２との間には、複数の磁気吸着部材２９が長手方向に１列に配置されている。フラックス裏当部材２１及び銅板裏当部材２２の幅方向の左右外側には、被溶接材搬送装置２３，２３及び磁気吸着部材２７，２８が配置されている。
【００４６】
フラックス裏当部材２１は、トラフ２１ａ内に散布されて貯留されたフラックスＦを溶接開先部Ｍの下面に押し当てることにより、溶接時の溶融金属の垂れ落ちを防止する。このフラックス裏当部材２１は、その下部にエアホース１５が配置されて、エアホース１５に圧縮空気が供給されることにより、エアホース１５が膨らんで、フラックスＦを被溶接鋼板１，２の溶接開先部Ｍの下面に押し当てるようになっている。
【００４７】
一方、銅板裏当部材２２は、フラックス裏当部材２１と同様、エアホース１５が配置されて、エアホース１５に圧縮空気が供給されると、エアホース１５が膨らんで、銅板裏当部材２２が上昇し、フラックスＦを被溶接鋼板１，２の下面に押当てるようになっている。これらのフラックス裏当部材２１及び銅板裏当部材２２の下方には、使用後のフラックスＦを回収するフラックス回収搬送装置１６が配置されている。
【００４８】
≪磁気吸着部材の構成≫
図３に示すように、磁気吸着部材２７，２８，２９（磁気吸着装置）は、裏当装置２０の上方に配置されたパネルを下側から磁力で吸引して、被溶接鋼板１，２が浮き上がらないように固定する装置であり、略円柱形状に形成された電磁マグネットからなる。磁気吸着部材２７〜２９は、溶接装置走行台車１４（図１参照）の上端に設置された支持部１８にそれぞれ載設されると共に、裏当装置２０に沿って長手方向に予め設定された間隔で、それぞれが１列に長手方向に多数配置されている。磁気吸着部材２７〜２９は、通電することによりその上方に配置されたパネル、即ち、被溶接鋼板１，２を磁力で吸着し、被溶接鋼板１，２を拘束するようになっている。磁気吸着部材２７〜２９は、その全てが各溶接電源６（６Ａ〜６Ｃ）の電源アース端子６ｂ（図示省略）に導通するように設けられている。
【００４９】
磁気吸着部材２７は、フラックス裏当部材２１の外側に、パネル移動ローラ２４とローラ２５と共に長手方向に１列に複数配置されている。磁気吸着部材２７は、複数のパネル移動ローラ２４の前後にそれぞれ隣設されている。
【００５０】
磁気吸着部材２８は、前記磁気吸着部材２７と同様に、銅板裏当部材２２の外側に、モータ２６によって回転駆動されるパネル移動ローラ２４とローラ２５とが、長手方向に１列に複数配置されている。磁気吸着部材２８は、複数のパネル移動ローラ２４の前後にそれぞれ隣設されている。
【００５１】
図３に示すように、磁気吸着部材２９は、フラックス裏当部材２１と銅板裏当部材２２との間に、それぞれ支持ローラ１０を介在して長手方向に向けて１列に配置されている。図１に示すように、磁気吸着部材２９は、この下側に支持部１８が固定され、支持部１８の下側に、裏当装置走行台車１７の上端に載設された基台１３が設置されている。
【００５２】
図４（ｂ）に示すように、磁気吸着部材２９は、電磁マグネットに通電しない場合、一対の支持ローラ１０の上側の共通接線Ｌ（二点鎖線で示す部位）と磁気吸着部材２９との間隔Ｘ、即ち、一対の支持ローラ１０上に支持される被溶接鋼板１，２の下面と磁気吸着部材２９との間隔Ｘが、約１０ｍｍになるように、磁気吸着部材２９が共通接線Ｌより下方に位置している。そして、磁気吸着部材２９の上方に被溶接鋼板１，２が位置している状態で、電磁マグネットに通電すると、磁気吸着部材２９が、ガイドボルト５０に案内されて被溶接鋼板１，２に吸引されて飛び上がる。この飛び上がり量は、ガイドボルト５０によって、例えば、１２ｍｍに制限されているので、被溶接鋼板１，２が熱歪み等でそれ以上持ち上がろうとしても、磁気吸着部材２９がクランプして被溶接鋼板１，２の変形及び持ち上がりを制限する。
【００５３】
これにより、図１に示すフラックス裏当部材２１が被溶接鋼板１，２の溶接開先部Ｍの下面に押し付けられて、被溶接鋼板１，２を上側へ力が作用しても、被溶接鋼板１，２が浮き上がるのが阻止されるようになっている。又、磁気吸着部材２９は、磁力で被溶接鋼板１，２を吸着固定することにより、被溶接鋼板１，２の上方向に曲がるのを矯正し、溶接中の歪みによる被溶接鋼板１，２の湾曲変形及び移動を防止することができる。
【００５４】
このような磁気吸着部材２９がフラックス裏当部材２１と銅板裏当部材２２との中間に配置され、複数の磁気吸着部材２９が裏当装置２０の長手方向に配列されている。又、フラックス裏当部材２１及び銅板裏当部材２２の外側に配置されたパネル移動ローラ２４及びローラ２５の近傍にも、磁気吸着部材２９と同様の構成の複数の磁気吸着部材２７，２８（図２及び図３参照）が配置されている。従って、各裏当装置２０の両側に前記磁気吸着部材２９，２７，２８が配置されている。
【００５５】
これらの全ての磁気吸着部材２７〜２９は、図５に示すように、溶接機ビーム１０２、土台フレーム１４０等の架台フレーム１０１を経由して各溶接電源６（６Ａ〜６Ｃ）の電源アース端子６ｂに導通するように電気的に接続されている。つまり、各磁気吸着部材２９（２７，２８）には、土台フレーム１４０に固定された図４（ｂ）に示す基台１３上に、板状の接続端子１２が立設されている。この接続端子１２と磁気吸着部材２９（２７，２８）とは、互いにケーブル１１によって接続されている。従って、磁気吸着部材２９（２７，２８）は、ケーブル１１、接続端子１２、基台１３、及び、鉄製の架台フレーム１０１（溶接装置走行台車１４、裏当装置走行台車１７あるいは溶接機ビーム１０２等）、電源アース接続端子１０１ａ、アースケーブル７を経由して溶接始端側に配置された各溶接電源６（６Ａ〜６Ｃ）の電源アース端子６ｂに接続されている（図５参照）。
【００５６】
図１に示すように、前記支持ローラ１０は、回転軸を裏当装置２０の長手方向に直交する方向に向けて配置され、その上に搬送されて来るパネルの被溶接鋼板１，２の下面に当接して転動する。支持ローラ１０は、この支持ローラ１０の近傍に配置された磁気吸着部材２９とで、被溶接鋼板１，２を下側から支持するように配置されている。
【００５７】
フラックス裏当部材２１及び銅板裏当部材２２の外側に配置された左右のパネル移動ローラ２４，２４とローラ２５，２５（図３参照）は、その回転軸が裏当装置２０の長手方向に直交する方向に向けて設置されている。パネル移動ローラ２４，２４は、それぞれモータ２６，２６によって回転駆動されると、パネルを裏当装置２０の長手方向に移動させる。
【００５８】
≪補助ローラ装置の構成≫
図３に示すように、補助ローラ装置３０は、複数のローラ３１が裏当装置２０の長手方向（パネル搬送方向）に沿って配置されている。各ローラ３１は、その回転軸が、フラックス裏当部材２１及び銅板裏当部材２２の長手方向に直交するように配置されて、モータ３２によって回転駆動されると、パネルを裏当装置２０の長手方向に移動させる。
【００５９】
≪溶接装置走行台車の構成≫
図１に示すように、溶接装置走行台車１４は、フラックス裏当部材２１、銅板裏当部材２２，磁気吸着部材２９及び被溶接材搬送装置２３，２３を搭載して幅方向へ移動させるための台車である。
【００６０】
≪裏当装置走行台車の構成≫
裏当装置走行台車１７は、フラックス裏当部材２１、磁気吸着部材２９及び銅板裏当部材２２を搭載して移動させるための台車であり、溶接装置走行台車１４上を裏当装置２０の長手方向に直交する方向に走行可能となっている。このため、フラックス裏当部材２１、磁気吸着部材２９及び銅板裏当部材２２は、裏当装置走行台車１７が移動することにより、幅方向の位置を微調整することができるようになっている。
【００６１】
≪片面アーク溶接装置の動作≫
次に、図１〜図５を参照して片面アーク溶接装置１００の動作について説明する。
図１に示すように、パネルが裏当装置２０上に搬送されて来ると、被溶接鋼板１，２間の溶接線３の位置が、フラックス裏当部材２１、又は、銅板裏当部材２２の直上に位置決めされる。必要に応じて、溶接装置走行台車１４を移動させて位置調整し、さらに、裏当装置走行台車１７を移動させて位置を正確に微調整をする。
【００６２】
そして、磁気吸着部材２７〜２９（図２及び図３参照）に通電し、被溶接鋼板１，２を磁力で吸着して拘束する。これにより、被溶接鋼板１，２は、磁気吸着部材２７〜２９等に接触する。この場合、被溶接鋼板１，２は、磁気吸着部材２７〜２９に吸引されているので、両者は、確実に接触して電気的に接続することができる。
【００６３】
次に、フラックス裏当部材２１のエアホース１５に圧縮空気を供給して、エアホース１５を膨らませて、トラフ２１ａを上昇させトラフ２１ａ内のフラックスＦを被溶接鋼板１，２の溶接開先部Ｍの下面に押し当てる。その後、各溶接トーチ４（４Ａ〜４Ｃ）から繰り出される各溶接ワイヤ５と被溶接鋼板１，２の溶接開先部Ｍとの間に、各溶接電源６（６Ａ〜６Ｃ）からの電圧を印加すると、アーク電流がそれぞれ流れてアークが生成され、溶接が行われる。
【００６４】
図５に示す各溶接電源６（６Ａ〜６Ｃ）の出力端子６ａからの供給電流は、各溶接ワイヤ５毎に設置した溶接電源６（６Ａ〜６Ｃ）毎の電源ケーブル８，８，８を介して各溶接ワイヤ５からアーク電流となって被溶接鋼板１，２に入り、その被溶接鋼板１，２から磁気吸着部材２７〜２９にそれぞれ流れ、ケーブル１１、接続端子１２（図４（ｂ）参照）、基台１３（図４（ｂ）参照）、裏当装置走行台車１７、架台フレーム１０１、電源アース接続端子１０１ａ、アースケーブル７を介して、各溶接電源６（６Ａ〜６Ｃ）の各電源アース端子６ｂに流れる。
そして、溶接機４０を溶接線３に沿って走行させ、各溶接ワイヤ５を溶接線３に沿って移動させると、各溶接ワイヤ５及び被溶接鋼板１，２の溶融及び溶接金属の凝固が溶接方向に連続的になされ、片面アーク溶接が行われる。
【００６５】
この場合に、図１及び図２に示すように、磁気吸着部材２７〜２９は、溶接線３の両側に、溶接線３に沿って多数配置されている。例えば、フラックス裏当部材２１を使用する場合には、溶接線３の両側近傍に、磁気吸着部材２９，２７が位置する。又、銅板裏当部材２２を使用する場合には、溶接線３の両側近傍に磁気吸着部材２９，２８が位置する。
このように、溶接線３に沿って多数の磁気吸着部材２７〜２９が溶接線３の両側に配置されているので、アーク点から被溶接鋼板１，２に入るアース電流は、大きな偏りなく、常に、磁気吸着部材２７〜２９等を流れて各溶接電源６（６Ａ〜６Ｃ）に戻る。
【００６６】
図５に示すように、溶接始端側から溶接を開始して溶接終端側へ連続して被溶接鋼板１，２を溶接した場合、最初、溶接始端部の近傍に位置する磁気吸着部材２９（２７，２８）を溶接電流が流れるが、その後の溶接後半に至っても最初に流れた磁気吸着部材２９（２７，２８）を大部分のアース電流が流れる。
【００６７】
つまり、溶接ワイヤ５からアーク発生を経て被溶接鋼板１，２に流れる溶接電流は、複数の磁気吸着部材２９（２７，２８）を介して各溶接電源６（６Ａ〜６Ｃ）に還流される。しかしながら、複数の磁気吸着部材２９（２７，２８）を介して流れるアース電流は、その各部を流れる電流をいわゆるトグメータといわれている電流計で計測したところ、各磁気吸着部材２９（２７，２８）を均等に流れるのではなく、複数の磁気吸着部材２９（２７，２８）の内、最初に多く流れた溶接始端側の近傍に配置された磁気吸着部材２９（２７，２８）の電流量が多いことが判明した。つまり、一旦導通した磁気吸着部材２９（２７，２８）と被溶接鋼板１，２の間の接触電気抵抗は小さくなっており、溶接終端側にアークが移動しても、最初に導通した磁気吸着部材２９（２７，２８）と被溶接鋼板１，２の間に比較的多く流れる傾向があることがわかった。
【００６８】
従来から常識的に片面アーク溶接装置では、溶接終端側（前）アースが良いとされており、これまでの装置では溶接終端側（前）アースが採用されてきた。又、通常溶接ではこの溶接終端側（前）アースで安定した片面溶接が実現できてきた。しかしながら、通常、安定した溶接が得られる溶接終端側（前）アースであっても、前述のように、時として裏面ビード形状が乱れる溶接欠陥が発生することがあり、その原因究明を個々の磁気吸着部材２９（２７，２８）を介して流れるアース電流の分流解析を行った。その結果、溶接終端側（前）アースを装置的には実現しているにもかかわらず、通常は溶接後半になっても溶接初期に流れた溶接始端部の磁気吸着部材２９（２７，２８）を流れていることが判明した。ただし、時として、溶接終端側での溶接の際に、溶接終端近辺の磁気吸着部材２９（２７，２８）を主アース電流が流れることがあり、この電流経路の大きな変化が生じた場合に、前記溶接欠陥が生じることがわかった。このことは、最初に導通した溶接始端側近傍の磁気吸着部材２９（２７，２８）の接触電気抵抗の小ささと、溶接終端側近傍の磁気吸着部材２９（２７，２８）を介しての電流回路の電気抵抗の少なさとのバランスでアース流路の変化が生じること、最初に導通した磁気吸着部材２９（２７，２８）を介してのアース電流回路は溶接始端側（後）アースとなっているが、このアース電流状態でも溶接した箇所が溶接欠陥に繋がるわけではないことが実験で判明した。
【００６９】
又、これらの試験を通して、磁気吸着部材２９（２７，２８）と被溶接鋼板１，２との間の接触電気抵抗、あるいは、磁気吸着部材２９（２７，２８）の吸着面の錆や表面汚れ等に起因した外乱が影響することが判った。又、溶接初期に流れた溶接始端側近傍の磁気吸着部材２９（２７，２８）には、電流が流れ易い状態になっており、アーク点が移動した後も、溶接初期に流れた磁気吸着部材２９（２７，２８）を通して流れる電流が多く存在することも判った。従来、常識とされていた前アースでなくても、アース電流の流路が乱れない場合には、アース電流の流路に大きな変更がないので、良好な安定した片面溶接が得られることも判った。
【００７０】
このようなことから、各溶接電源６の電源アース端子６ｂを溶接始端部に接続した片面アーク溶接装置１００では、溶接開始初期の良好な溶接状態が維持され、かつ、磁気吹きが発生しない。そして、磁気吸着部材２９（２７，２８）は、磁力により確実に被溶接鋼板１，２の下面に接触しているので、接触状態も良好である。又、溶接中の被溶接鋼板１，２の歪みにより、磁気吸着部材２９（２７，２８）との接触状態が悪化することもなく、アース電流は、確実に溶接初期の溶接始端側の磁気吸着部材２９（２７，２８）を大部分が通って流れる。
【００７１】
よって、溶接始端側から溶接終端側に亘って溶接線３全体を溶接しても、アース電流の電流経路が、溶接初期の溶接始端側の磁気吸着部材２９（２７，２８）を流れる状態からふらつくことがなく安定しているので、アークの偏向を防止することができると共に、アース流路の変更による溶接の途中での突然の溶接欠陥が発生するのを防止することができる。なお、各溶接電源６の電源アース端子６ｂを溶接始端部に接続した場合にあっては、溶接が終端部に至った場合、それよりも終端側に位置する磁気吸着部材２９（２７，２８）を介してアース電流が流れる流路発生はないことから、後アース状態が突然前アース状態になることはなく、時として発生していた溶接欠陥は防止できた。
【００７２】
一般に、磁気吹き現象は、溶接電流が直流電流である場合に顕著に発生する、又、被溶接鋼板１，２が仮付けされただけの状態の場合に、被溶接鋼板１，２の水平度や吸着度が不正確であるので、いつも同じ状態でアース電流が流れるとは限らず、突然アース電流の流れが変わることにより、電流経路が不安定になって著しく発生することも判っている。
このため、本発明は、片面アーク溶接において、特に先行する第１電極が、直流電流を使用し、フラックス裏当部材２１を裏当部材として使用したときに、特に、有益である。
【００７３】
さらには、複数の電極が交流大電流で実施される片面アーク溶接の場合にあっては、先行の第１電極以降の電極には、先行の電極から１２０°の位相差となる電源結線方法を用いた場合には、さらに好適な安定した溶接結果が得られる。
【００７４】
［変形例］
以上、本発明に係る実施形態について説明したが、本発明は、前記した実施形態に限定されるものではなく、本発明の趣旨を逸脱しない範囲において適宜変更は可能である。なお、既に説明した構成は同じ符号を付してその説明を省略する。
【００７５】
図６は、本発明の実施形態に係る片面アーク溶接装置の変形例を示す図であり、裏当部材、磁気吸着部材及び溶接電源の配置を示す要部概略図である。
前記実施形態では、図５に示すように、各溶接電源６（６Ａ〜６Ｃ）を溶接始端側に設置させると共に、各磁気吸着部材２７〜２９と、各溶接電源６（６Ａ〜６Ｃ）の電源アース端子６ｂとを接続することによって、アース電流が、磁気吸着部材２７〜２９を経由して溶接始端側に集電され、各電流アース端子６ｂを介して各溶接電源６（６Ａ〜６Ｃ）に戻るように電流回路が形成されているが、これに限定されるものではない。
【００７６】
例えば、本発明に係る片面アーク溶接装置１００は、図６に示すように、各溶接電源６（６Ａ〜６Ｃ）を、溶接線３の溶接終端側に設置すると共に、各磁気吸着部材２７〜２９と各溶接電源６（６Ａ〜６Ｃ）の各電源アース端子６ｂをそれぞれ導通させてもよい。この場合、架台フレーム１０１は、溶接線３の溶接始端側から溶接終端側に亘って設置されて、溶接線３の溶接始端側に一本の電源アース接続端子１０１ａが設けられている。その溶接線３の溶接始端側の一つの電源アース接続端子１０１ａから三つに分岐されて各溶接電源６（６Ａ〜６Ｃ）の電源アース端子６ｂにアースケーブル７Ａがぞれぞれ接続されている。
【００７７】
このようにしても、前記実施形態と同様に、被溶接鋼板１，２を溶接始端側から溶接終端側に亘って溶接するときに、各溶接電源６（６Ａ〜６Ｃ）から溶接機４０に供給された電流は、そのアース電流が、各磁気吸着部材２７〜２９、ケーブル１１、溶接装置走行台車１４、溶接始端側の電源アース接続端子１０１ａを介して各アースケーブル７Ａから各溶接電源６（各電源アース端子６ｂ）に戻るようになる。
このため、アース電流の流れの経路が安定化されて、溶接の際に、溶接線３の全体に亘って均一化されたアークが生成され、溶接ビードの形状も安定化されて、溶接欠陥の発生を防止することができる。
【００７８】
又、前記実施形態では磁気吸着装置が、磁気吸着部材２７〜２９を三列に配置した例を説明したが、二種類の裏当装置２０のフラックス裏当部材２１と、銅板裏当部材２２との間に、磁気吸着部材２９の１列のみを配置して、磁気吸着部材２９のみにアース電流を流すようにしても構わない。
【００７９】
又、片面アーク溶接装置１００には、複数の溶接装置走行台車１４を配置すると共に、複数の溶接線３の下方に裏当装置２０（フラックス裏当部材２１又は銅板裏当部材２２）を配置して、複数の溶接機４０，４０（図２参照）により、複数の溶接線３を同時に溶接するようにしてもよい。
【００８０】
前記実施形態では裏当装置２０の一例として、フラックス裏当装置２１と銅板裏当装置２２とを備えたタイプのものを例に挙げて説明したが、これに限定されるものではなく、裏当装置２０のタイプは特に限定されない。例えば、裏当装置２０は、フラックス裏当装置２１だけ備えたタイプのものでもよく、又、銅板裏当装置２２だけ備えたタイプのものでもよい。
【符号の説明】
【００８１】
１，２  被溶接鋼板
３  溶接線
４，４Ａ，４Ｂ，４Ｃ  溶接トーチ
５  溶接ワイヤ
６，６Ａ，６Ｂ，６Ｃ  溶接電源
６ｂ  電源アース端子
７，７Ａ，７Ｂ  アースケーブル
１１  ケーブル
１２  接続端子
１３  基台
１４，１７  台車
１５  エアホース
１６  回収部材
２０  裏当装置
２１  フラックス裏当部材（裏当部材）
２２  銅板裏当部材（裏当部材）
２７，２８，２９  磁気吸着部材
４０  溶接機
１００  片面アーク溶接装置（片面サブマージアーク溶接装置）
１０１  架台フレーム（アース部材）
１０１ａ，１０１ｂ  電源アース接続端子
１４０  土台フレーム
【図１】
0005575552.tif 000002
【図２】
0005575552.tif 000003
【図３】
0005575552.tif 000004
【図４】
0005575552.tif 000005
【図５】
0005575552.tif 000006
【図６】
0005575552.tif 000007